【手続補正書】
【提出日】平成19年10月12日(2007.10.12)
【手続補正１】
【補正対象書類名】明細書
【補正対象項目名】特許請求の範囲
【補正方法】変更
【補正の内容】
【特許請求の範囲】
【請求項１】 ネットワークを介してサービス要求を扱うための装置であって、該ネットワークはプロトコルを利用し、該装置は、 ａ．ネットワークプロトコルを用いてネットワークサービス要求を送受信するためのネットワークサブシステムと、 ｂ．前記ネットワークサービス要求を満たすための、前記ネットワークサブシステムに接続されるサービスサブシステムとを備え、 前記ネットワークサブシステム及びサービスサブシステムの少なくとも一つは、ハードウェアで実行されていることを特徴とする装置。
【請求項２】 ネットワークを介してサービス要求を扱うための装置であって、該ネットワークはプロトコルを利用し、該装置は、 ａ．ネットワークプロトコルを用いてネットワークサービス要求を送受信するためのネットワークサブシステムと、 ｂ．前記ネットワークサービス要求を満たすための、前記ネットワークサブシステムに接続されるサービスサブシステムとを備え、 前記ネットワークサブシステム及びサービスサブシステムの少なくとも一つは、ハードウェアで実行され、前記ネットワークサブシステム及びサービスサブシステムの他方はハードウェアで加速されていることを特徴とする装置。
【請求項３】 ネットワークを介してサービス要求を扱うための装置であって、該ネットワークはプロトコルを利用し、該装置は、 ａ．ネットワークプロトコルを用いてネットワークサービス要求を送受信するためのハードウェアで実行されたネットワークサブシステムと、 ｂ．前記ネットワークサービス要求を満たすための、前記ネットワークサブシステムに接続されるハードウェアで実行されたサービスサブシステムと、 を備えることを特徴とする装置。
【請求項４】 ネットワークを介してサービス要求を扱うための装置であって、該ネットワークはプロトコルを利用し、該装置は、 ａ．ネットワークプロトコルを用いてネットワークサービス要求を送受信するためのネットワークサブシステムと、 ｂ．前記ネットワークサービス要求を満たすための、前記ネットワークサブシステムに接続されるハードウェアで加速されたサービスサブシステムと を備えることを特徴とする装置。
【請求項５】 ネットワークを介してサービス要求を扱うための装置であって、該ネットワークはプロトコルを利用し、該装置は、 ａ．ネットワークプロトコルを用いてネットワークサービス要求を送受信するためのハードウェアで加速されたネットワークサブシステムと、 ｂ．前記ネットワークサービス要求を満たすための、前記ネットワークサブシステムに接続されるサービスサブシステムとを備え、 前記サービス要求は、長期の電子記憶装置へのデータの読み込み及び書込みの一つを含むことを特徴とする装置。
【請求項６】 前記サービス要求は、長期の電子記憶装置へのデータの読み込み及び書込みの一つを含むことを特徴とする請求項１乃至４のいずれかに記載の装置。
【請求項７】 前記長期の記憶装置は、ネットワークを介してコンピュータにアクセス可能なネットワークディスク記憶装置であることを特徴とする請求項５又は６記載の装置。
【請求項８】 前記長期の記憶装置は、ローカルコンピュータにアクセス可能であるが、ネットワークを介して他のあらゆるコンピュータにはアクセス不可能なローカルディスク記憶装置であることを特徴とする請求項５又は６記載の装置。
【請求項９】 前記長期の記憶装置は、ネットワークを介して電子メールの供給に関連していることを特徴とする請求項５又は６記載の装置。
【請求項１０】 前記長期の記憶装置は、ネットワーク上のウェブページへのアクセスを供給することを特徴とする請求項５又は６記載の装置。
【請求項１１】 前記サービス要求は、記憶装置システムのデータのアクセスを含んでもよく、前記サービスサブシステムもまた、該記憶装置システムのデータの記憶を管理するためのハードウェアで実行されたモジュールを含むことを特徴とする請求項１乃至５のいずれかに記載の装置。
【請求項１２】 そのような装置がファイルサーバーであって、前記記憶装置システムの前記データがファイルに配列され、前記サービス要求は、該記憶装置システムのファイルへの要求を含み、前記サービスサブシステムもまた、該記憶装置システムに関連したファイルシステムを管理するためのハードウェアで実行されたモジュールを含むことを特徴とする請求項１１記載の装置。
【請求項１３】 前記プロトコルは、ファイルシステムプロトコルを含んでもよく、該ファイルシステムプロトコルは、ファイル読み込み及びファイル書込みを含む操作を定義することを特徴とする請求項１２記載の装置。
【請求項１４】 そのような装置がウェブサーバーであって、前記記憶装置システムの前記データがウェブページを含んでもよく、前記サービス要求は、該記憶装置システム内のウェブページのための要求を含み得ることを特徴とする請求項１１記載の装置。
【請求項１５】 前記プロトコルがＩＰを含むことを特徴とする請求項１、２、３、４、５、１１、１２、又は１４のいずれかに記載の装置。
【請求項１６】 前記記憶装置システムが記憶装置プロトコルを有し、前記サービスサブシステムは、該記憶装置システムと相互接続するためのハードウェアで実行されたモジュールを含むことを特徴とする請求項１１又は１２記載の装置。
【請求項１７】 ネットワークを介してデータを送受信するためのサブシステムであって、該ネットワークは層３及び４の少なくとも一つを有するプロトコルを用い、該サブシステムは、 ａ．前記ネットワークからカプセル収納データを受信し、前記プロトコルに従ってそのようなデータをカプセルから出す受信器と、 ｂ．前記プロトコルに従ってデータをカプセルに収納し、前記ネットワークを介してカプセル収納データを送信する送信器とを備え、 前記受信器及び送信器の少なくとも一つはハードウェアで実行されていることを特徴とするサブシステム。
【請求項１８】 ネットワークを介してデータを送受信するためのサブシステムであって、該ネットワークは層３及び４の少なくとも一つを有するプロトコルを用い、該サブシステムは、 ａ．前記ネットワークからカプセル収納データを受信し、前記プロトコルに従ってそのようなデータをカプセルから出す受信器と、 ｂ．前記プロトコルに従ってデータをカプセルに収納し、前記ネットワークを介してカプセル収納データを送信する送信器とを備え、 前記受信器及び送信器の少なくとも一つはハードウェアで加速されていることを特徴とするサブシステム。
【請求項１９】 前記プロトコルがTCP/IPであることを特徴とする請求項１７又は１８記載のサブシステム。
【請求項２０】 前記データは、ネットワークを介してパケットで受信され、各パケットはプロトコルヘッダを有し、該サブシステムは、 前記受信器によって受信される各パケットの該プロトコルヘッダ内に含まれる情報から独特な接続を決定する接続識別子をさらに備えることを特徴とする請求項１９記載のサブシステム。
【請求項２１】 カプセル収納データは、ネットワーク接続に関連し、該サブシステムは、 前記接続の状態を格納する、前記ネットワーク接続に関連したメモリ領域をさらに備えることを特徴とする請求項１９又は２０記載のサブシステム。
【請求項２２】 記憶装置アクセス要求を生成し得るネットワークと記憶装置配置を相互接続するためのサービスサブシステムであって、 ａ．ネットワークサービス要求を受信し、そのようなサービス要求を満たし、そうして、データ記憶装置アクセス要求を発することができるサービスモジュールと、 ｂ．前記サービスモジュールからデータ記憶装置アクセス要求を受信し、そのような記憶装置アクセス要求を満たし、そうして、記憶装置配置アクセス要求を発することができる、該サービスモジュールに接続されたファイルシステムモジュールと、 ｃ．前記ファイルシステムモジュールから記憶装置配置アクセス要求を受信し、そのような記憶装置配置アクセス要求を満たすために、記憶装置配置を制御する、該ファイルシステムモジュールに接続された記憶装置モジュールとを備え、 前記モジュールの少なくとも一つはハードウェアで実行されることを特徴とするサービスサブシステム。
【請求項２３】 記憶装置アクセス要求を生成し得るネットワークと記憶装置配置システムを相互接続するためのサービスサブシステムであって、 ａ．ネットワークサービス要求を受信し、そのようなサービス要求を満たし、そうして、データ記憶装置アクセス要求を発することができるサービスモジュールと、 ｂ．前記サービスモジュールからデータ記憶装置アクセス要求を受信し、そのような記憶装置アクセス要求を満たし、そうして、記憶装置配置アクセス要求を発することができる、該サービスモジュールに接続されたファイルシステムモジュールと、 ｃ．前記ファイルシステムモジュールから記憶装置配置アクセス要求を受信し、そのような記憶装置配置アクセス要求を満たすために、記憶装置配置を制御する、該ファイルシステムモジュールに接続された記憶装置モジュールとを備え、 前記モジュールの少なくとも一つはハードウェアで加速されることを特徴とするサービスサブシステム。
【請求項２４】 前記サービスモジュールは、 i. ネットワークサービス要求を受信し、そのような要求が適切か否か決定し、もし適切ならば、情報が利用可能か否か応答し、さもなければ、データ記憶装置アクセス要求を発する、受信制御エンジンと、 ii. 前記受信制御エンジンからの命令に基づいて、ネットワークサービス応答を生成し、前記データ記憶装置アクセス要求へのデータ記憶装置アクセス応答がある場合、該データ記憶装置アクセス応答を処理する、送信制御エンジンとを備え、 前記エンジンの少なくとも一つはハードウェアで実行されることを特徴とする請求項２２又は２３に記載のサービスサブシステム。
【請求項２５】 前記サービスモジュールは、 i. ネットワークサービス要求を受信し、そのような要求が適切か否か決定し、もし適切ならば、情報が利用可能か否か応答し、さもなければ、データ記憶装置アクセス要求を発する、受信制御エンジンと、 ii. 前記受信制御エンジンからの命令に基づいて、ネットワークサービス応答を生成し、前記データ記憶装置アクセス要求へのデータ記憶装置アクセス応答がある場合、該データ記憶装置アクセス応答を処理する、送信制御エンジンとを備え、 前記エンジンの少なくとも一つはハードウェアで加速されることを特徴とする請求項２２又は２３に記載のサービスサブシステム。
【請求項２６】 前記サービスサブシステムは、コンピュータのマザーボードに直接統合されることを特徴とする請求項２２又は２３記載のサービスサブシステム。
【請求項２７】 前記サービスサブシステムは、コンピュータに接続され得るアダプタカードに統合されることを特徴とする請求項２２又は２３記載のサービスサブシステム。
【請求項２８】 ネットワークサービス要求を受信し、そのようなサービス要求を満たすサービスモジュールであって、 ａ．ネットワークサービス要求を受信し、そのような要求が適切であるか否かを決定し、もし適切ならば、情報が利用可能であるか否かを応答し、さもなければ、データ記憶装置アクセス要求を発する、受信制御エンジンと、 ｂ．前記受信制御エンジンからの命令に基づいて、ネットワークサービス応答を生成し、前記データ記憶装置アクセス要求へのデータ記憶装置アクセス応答がある場合、該データ記憶装置アクセス応答を処理する、送信制御エンジンとを備え、 前記エンジンの少なくとも一つはハードウェアで実行されることを特徴とするサービスモジュール。
【請求項２９】 ネットワークサービス要求を受信し、そのようなサービス要求を満たすサービスモジュールであって、 ａ．ネットワークサービス要求を受信し、そのような要求が適切であるか否かを決定し、もし適切ならば、情報が利用可能であるか否かを応答し、さもなければ、データ記憶装置アクセス要求を発する、受信制御エンジンと、 ｂ．前記受信制御エンジンからの命令に基づいて、ネットワークサービス応答を生成し、前記データ記憶装置アクセス要求へのデータ記憶装置アクセス応答がある場合、該データ記憶装置アクセス応答を処理する、送信制御エンジンとを備え、 前記エンジンの少なくとも一つはハードウェアで加速されることを特徴とするサービスモジュール。
【請求項３０】 前記ネットワークサービス要求は、ＣＩＦＳプロトコルであることを特徴とする請求項２８又は２９記載のサービスモジュール。
【請求項３１】 前記ネットワークサービス要求は、ＳＭＢプロトコルであることを特徴とする請求項２８又は２９記載のサービスモジュール。
【請求項３２】 前記ネットワークサービス要求は、ＨＴＴＰプロトコルであることを特徴とする請求項２８又は２９記載のサービスモジュール。
【請求項３３】 前記ネットワークサービス要求は、ＮＦＳプロトコルであることを特徴とする請求項２８又は２９記載のサービスモジュール。
【請求項３４】 前記ネットワークサービス要求は、ＦＴＰプロトコルであることを特徴とする請求項２８又は２９記載のサービスモジュール。
【請求項３５】 前記ネットワークサービス要求は、ＳＭＴＰプロトコルであることを特徴とする請求項２８又は２９記載のサービスモジュール。
【請求項３６】 受信器によって受信されたネットワーク要求が該要求を発する権限を有する情報源から発せられたか否かを決定する認証エンジンをさらに備えることを特徴とする請求項２８又は２９記載のサービスモジュール。
【請求項３７】 前記認証エンジンは、受信器によって受信されたネットワーク要求が要求された動作を実行する権限を有する情報源から発せられたか否かを決定することを特徴とする請求項３６記載のサービスモジュール。
【請求項３８】 前記サービスモジュールは、コンピュータのマザーボードに直接統合されることを特徴とする請求項２８乃至３７のいずれかに記載のサービスモジュール。
【請求項３９】 前記サービスモジュールは、コンピュータに接続され得るアダプタカードに統合されることを特徴とする請求項２８乃至３７のいずれかに記載のサービスモジュール。
【請求項４０】 データ記憶装置アクセス要求を受信し、そのようなデータ記憶装置アクセス要求を満たすファイルシステムモジュールであって、 ａ．そのようなデータ記憶装置アクセス要求を受信し、それを翻訳し、そうして、記憶装置アクセス要求を発し得る、受信器と、 ｂ．データ記憶装置アクセス応答を構築し、それを発する、前記受信器に接続される送信器であって、前記記憶装置アクセス要求への応答に基づいて適切なとき、そのような応答が情報を含む、前記送信器とを備え、 前記受信器及び送信器の少なくとも一つは、ハードウェアで実行されることを特徴とするファイルシステムモジュール。
【請求項４１】 データ記憶装置アクセス要求を受信し、そのようなデータ記憶装置アクセス要求を満たすファイルシステムモジュールであって、 ａ．そのようなデータ記憶装置アクセス要求を受信し、それを翻訳し、そうして、記憶装置アクセス要求を発し得る、受信器と、 ｂ．データ記憶装置アクセス応答を構築し、それを発する、前記受信器に接続される送信器であって、前記記憶装置アクセス要求への応答に基づいて適切なとき、そのような応答が情報を含む、前記送信器とを備え、 前記受信器及び送信器の少なくとも一つは、ハードウェアで加速されることを特徴とするファイルシステムモジュール。
【請求項４２】 前記記憶装置アクセス要求は、前記モジュールが接続され得る記憶装置によって用いられるプロトコルに矛盾がないことを特徴とする請求項４０又は４１記載のファイルシステムモジュール。
【請求項４３】 前記プロトコルはＮＴＦＳであることを特徴とする請求項４２記載のファイルシステムモジュール。
【請求項４４】 前記プロトコルはＨＰＦＳであることを特徴とする請求項４２記載のファイルシステムモジュール。
【請求項４５】 前記プロトコルはＦＡＴであることを特徴とする請求項４２記載のファイルシステムモジュール。
【請求項４６】 前記プロトコルはＦＡＴ１６であることを特徴とする請求項４２記載のファイルシステムモジュール。
【請求項４７】 前記プロトコルはＦＡＴ３２であることを特徴とする請求項４２記載のファイルシステムモジュール。
【請求項４８】 前記モジュールが接続され得る記憶装置におけるファイルの物理的位置を画定するテーブルを格納する、前記受信器に接続されるファイルテーブルキャッシュをさらに備えることを特徴とする請求項４２記載のファイルシステムモジュール。
【請求項４９】 前記プロトコルは、ファイルが記憶装置内の連続的な物理的位置に置かれることを要求しないことを特徴とする請求項４８記載のファイルシステムモジュール。
【請求項５０】 前記ファイルシステムモジュールは、コンピュータのマザーボードに直接統合されることを特徴とする請求項４２記載のファイルシステムモジュール。
【請求項５１】 前記ファイルシステムモジュールは、コンピュータに接続され得るアダプタカードに統合されることを特徴とする請求項４２記載のファイルシステムモジュール。
【請求項５２】 要求情報源から記憶装置アクセス要求を受信し、そのような記憶装置アクセス要求を満たすために、記憶装置制御部と通信する記憶装置モジュールであって、 ａ．そのような記憶装置アクセス要求を受信し、それらを前記記憶装置制御部に適したフォーマットに変換する記憶装置要求インターフェースと、 ｂ．前記記憶装置制御部からの応答を取得し、そのような応答を前記要求情報源に適したフォーマットに変換する記憶装置承認インターフェースとを備え、 前記記憶装置要求インターフェースと記憶装置承認インターフェースの少なくとも一つはハードウェアで実行されることを特徴とする記憶装置モジュール。
【請求項５３】 要求情報源から記憶装置アクセス要求を受信し、そのような記憶装置アクセス要求を満たすために、記憶装置用記憶装置制御部と通信する記憶装置モジュールであって、 ａ．そのような記憶装置アクセス要求を受信し、それらを前記記憶装置制御部に適したフォーマットに変換する記憶装置要求インターフェースと、 ｂ．前記記憶装置制御部からの応答を取得し、そのような応答を前記要求情報源に適したフォーマットに変換する記憶装置承認インターフェースとを備え、 前記記憶装置要求インターフェースと記憶装置承認インターフェースの少なくとも一つはハードウェアで加速されることを特徴とする記憶装置モジュール。
【請求項５４】 データの部分への高速読込アクセスを可能にするために前記記憶装置に含まれるデータの一部のローカルコピーを保持するキャッシュ制御部をさらに備えることを特徴とする請求項５２又は５３記載の記憶装置モジュール。
【請求項５５】 前記記憶装置要求インターフェースと記憶装置承認インターフェースは、光ファイバチャネルを介して前記記憶装置制御部との通信を可能にするポートに接続されることを特徴とする請求項５２又は５３記載の記憶装置モジュール。
【請求項５６】 前記記憶装置要求インターフェースと記憶装置承認インターフェースは、ＳＣＳＩ関連のプロトコルを利用する記憶装置制御部との通信を可能にするポートに接続されることを特徴とする請求項５２又は５３記載の記憶装置モジュール。
【請求項５７】 前記記憶装置モジュールは、コンピュータのマザーボードに直接統合されることを特徴とする請求項５２又は５３記載の記憶装置モジュール。
【請求項５８】 前記記憶装置モジュールは、コンピュータに接続され得るアダプタカードに統合されることを特徴とする請求項５２又は５３記載の記憶装置モジュール。
【請求項５９】 記憶装置アクセス要求を置かれ得るラインと記憶装置配置を相互接続するためのシステムであって、 ａ．前記記憶装置アクセス要求を処理し、必要ならば前記記憶装置配置へのアクセスを生成し、応答の生成をさせる、前記記憶装置配置に接続されるサービス受信ブロックと、 ｂ．前記記憶装置配置内のファイルの物理的位置を画定するテーブルを格納する、前記受信ブロックに接続されるファイルテーブルキャッシュと、 ｃ．前記応答を送信するための、前記サービス受信ブロックに接続されるサービス送信ブロックとを備え、 前記サービス受信ブロックとサービス送信ブロックの少なくとも一つは、ハードウェアで実行されることを特徴とするシステム。
【請求項６０】 記憶装置アクセス要求を置かれるラインと記憶装置配置を相互接続するためのシステムであって、 ａ．前記記憶装置アクセス要求を処理し、必要ならば前記記憶装置配置へのアクセスを生成する、前記記憶装置配置に接続されるサービス受信ブロックと、 ｂ．前記記憶装置配置内のファイルの物理的位置を画定するテーブルを格納する、前記受信ブロックに接続されるファイルテーブルキャッシュと、 ｃ．前記応答を構築して、それを送信するための、前記サービス受信ブロック及び前記記憶装置配置に接続されるサービス送信ブロックとを備え、 前記サービス受信ブロックとサービス送信ブロックの少なくとも一つは、ハードウェアで加速されることを特徴とするシステム。
【請求項６１】 前記サービス受信ブロックとサービス送信ブロックのそれぞれに接続される応答情報メモリであって、該メモリは前記要求に関連したヘッダに存在する情報を格納し、該情報は前記応答を構築する前記サービス送信ブロックによって使用される、応答情報メモリをさらに備えることを特徴とする請求項５９又は６０記載のシステム。
【請求項６２】 前記記憶装置アクセス要求は、ネットワーク要求であることを特徴とする請求項５９又は６０記載のシステム。
【請求項６３】 前記記憶装置アクセス要求は、前記ラインが接続されるローカルプロセッサによって生成されることを特徴とする請求項５９又は６０記載のシステム。
【請求項６４】 多数のクライアントからの記憶装置アクセス要求を扱うための処理であって、 ａ．前記クライアントのいずれかからの記憶装置アクセス要求の受信をテストするステップと、 ｂ．あらゆる未決定の要求に従って記憶装置へのアクセスの完了をテストするステップとを含み、 記憶装置アクセス要求の受信テストと記憶装置へのアクセスの完了テストは、クライアントの数から独立して、多数のスレッドで実行されることを特徴とする処理。
【請求項６５】 前記処理は、また、 要求の受信テストからの肯定的な決定を条件付けられ、該肯定的な決定を生じさせる要求を処理し、そのような要求に従って記憶装置アクセスを始めるステップを含むことを特徴とする請求項６４記載の処理。
【請求項６６】 前記処理は、また、 未決定の要求に従って記憶装置へのアクセスの完了テストから肯定的な決定を条件付けられ、そのような未決定の要求を発するクライアントに応答を送るステップを含むことを特徴とする請求項６４または６５記載の処理。
【請求項６７】 スレッドの数が３よりも小さいことを特徴とする請求項６４、６５、又は６６のいずれかに記載の処理。
【請求項６８】 スレッドの数が１であることを特徴とする請求項６７記載の処理。
【請求項６９】 ネットワークを介してサービス要求を扱うための拡大縮小可能な装置であって、ネットワークはプロトコルを利用し、該装置は、 ａ．前記ネットワークプロトコルを用いるネットワークサービス要求を送受信するための第１の複数のネットワークサブシステムと、 ｂ．前記ネットワークサービス要求を満たすための第２の複数のサービスサブシステムと、ここで、該ネットワークサブシステムと該サービスサブシステムのそれぞれ一つがハードウェアで実行され、あるいはハードウェアで加速されるものであり、 ｃ．第１の複数のネットワークサブシステムのそれぞれを第２の複数のサービスサブシステムのそれぞれに接続するインタコネクトと、 を備えることを特徴とする装置。
【請求項７０】 前記インタコネクトはスイッチであることを特徴とする請求項６９記載の装置。
【請求項７１】 前記インタコネクトはバスであることを特徴とする請求項６９記載の装置。
【請求項７２】 記憶装置アクセス要求を生成され得るネットワークと記憶装置配置を相互接続するための拡大縮小可能なサービスサブシステムであって、 ａ．ネットワークサービス要求を受信し、そのようなサービス要求を満たし、そうして、データ記憶装置アクセス要求を発する第１の複数のサービスモジュールと、 ｂ．データ記憶装置アクセス要求を受信し、そのような記憶装置アクセス要求を満たし、そうして、記憶装置配置アクセス要求を発する第２の複数のファイルシステムモジュールと、ここで、該サービスモジュールと該ファイルシステムモジュールのそれぞれ一つがハードウェアで実行され、あるいはハードウェアで加速されるものであり、 ｃ．第１の複数のサービスモジュールのそれぞれを第２の複数のファイルシステムモジュールのそれぞれに接続するインタコネクトと、 を備えることを特徴とする拡大縮小可能サービスサブシステム。
【請求項７３】 前記インタコネクトはスイッチであることを特徴とする請求項７２記載の拡大縮小可能サービスサブシステム。
【請求項７４】 前記インタコネクトはバスであることを特徴とする請求項７２記載の拡大縮小可能サービスサブシステム。
【請求項７５】 ｄ．記憶装置配置アクセス要求を受信し、そのような記憶装置配置アクセス要求を満たすために該記憶装置配置を制御する第３の複数の記憶装置モジュールと、 ここで、該記憶装置モジュールのそれぞれ一つはハードウェアで実行され、あるいはハードウェアで加速されるものであり、 ｅ．前記ファイルシステムモジュールのそれぞれを前記記憶装置モジュールのそれぞれと接続する第２のインタコネクトと、 をさらに備えることを特徴とする請求項７２記載の拡大縮小可能サービスサブシステム。
【請求項７６】 前記インタコネクト及び第２のインタコネクトのそれぞれは、スイッチであることを特徴とする請求項７２記載の拡大縮小可能サービスサブシステム。
【請求項７７】 前記インタコネクト及び第２のインタコネクトのそれぞれは、バスであることを特徴とする請求項７２記載の拡大縮小可能サービスサブシステム。